(57)【要約】【課題】  衝撃等に対する吸込口の強度を維持しながら、通風抵抗を充分低減することのできる吹出口を備えた空気調和機の室外機を提供することを目的とする。【解決手段】  吹出口６を第一桟６ａと第二桟６ｂとを所定の間隔をおいて格子状に形成した樹脂材からなる主桟と、同主桟内に張設され横網６ｃと縦網６ｄとを所定の間隔をおい格子状に形成した金網からなる副桟とから構成することにより、副桟によりプロペラファンから送出された空気に対し通風抵抗を充分低減できるようにする一方、樹脂材からなる主桟により衝撃力、外力等に対して強度を維持する。【選択図】図２
2009014234.tif 000002
【特許請求の範囲】
【請求項１】
本体内部に圧縮機と熱交換器とプロペラファンとを備え、本体背面に吸込口を設けるとともに、本体前面に前記プロペラファンに対応して吹出口を設けてなる空気調和機の室外機において、
前記吹出口は、主桟と副桟とからなり、前記主桟は複数の第一桟と、同第一桟に交差する複数の第二桟とからなる一方、前記副桟は前記第一桟及び前記第二桟より細いことを特徴とする空気調和機の室外機。
【請求項２】
前記主桟は樹脂材からなり、前記副桟は金属性の網体からなることを特徴とする請求項１に記載の空気調和機の室外機。
【請求項３】
前記副桟は、インサート成型により前記主桟に一体に形成されることを特徴とする請求項１または請求項２に記載の空気調和機の室外機。
【発明の詳細な説明】
【技術分野】
【０００１】
本発明は、空気調和機の室外機に係わり、より詳細には、吹出口の構成に関する。
【背景技術】
【０００２】
従来の空気調和機の室外機３０は、図５（Ａ）の正面図及び図５（Ｂ）の断面側面図で示すように、矩形状に形成された本体３１の前面に吹出口３２を設け、背面に吸込口３５を設けている。前記本体３１内には、吸込口３５に対向して熱交換器が設けられ、前面の吹出口３２に対向して、プロペラファン３３と、これを回転駆動するファンモータ３４とが設けられている。吸込口３５から吸込まれた空気は、熱交換器により熱交換された後、前記ファンモータ３４に駆動されるプロペラファン３３により前記吹出口３２から送出されるようになっている。
【０００３】
前記吹出口３２は、図５（Ｃ）で示すように、樹脂材からなる複数の横桟３２ａと複数の縦桟３２ｂとを格子状となるように交差させて形成されており、格子状に組み合わせることにより衝撃等に対する強度を維持するようになっている。これにより、例えば吹出口３２に外力あるいは衝撃力が作用したとしても、吹出口３２が撓んで内部のプロペラファン３３に損傷が発生するような事態を防止するようになっている。また、前記横桟３２ａの間隔は、手指等が誤って吹出口３２内に侵入し、プロペラファン３３等に接触しないように、予め設定された所定の狭い間隔で形成されている。
【０００４】
しかしながら、前記プロペラファン３３から吹出される空気は、図５（Ｄ）の矢印で示すように、放射状に拡散する流れとなり、狭い間隔で配設された前記横桟３２ａには上下方向に向かう斜流が衝突しながら通過することとなる。このため、吹出口３２の通風抵抗が大きくなって熱交換器の熱交換性能にも影響を与えるとともに、騒音発生の原因ともなっていた。
【０００５】
他の従来例として、例えば特許文献１に開示されているように、横方向に平行して設けられた第一の桟と、同第一の桟と交差するように、斜めに設けられた細径の第二の桟とから吹出口を形成し、細径の第二の桟により通風抵抗を少なくして騒音を低減した技術が開示されている。
【０００６】
しかしながら、横方向に平行して配設される第一の桟は、強度を保持するとともに、手指の侵入を防止する点から密度を高くする必要があり、通風抵抗を充分低減することは困難であった。
【特許文献１】特開平８−２４７０９７号（４頁、図２）
【発明の開示】
【発明が解決しようとする課題】
【０００７】
本発明は、上記問題点に鑑み、衝撃等に対する吸込口の強度を維持しながら、通風抵抗を充分低減することのできる吹出口を備えた空気調和機の室外機を提供することを目的とする。
【課題を解決するための手段】
【０００８】
本発明は、上記課題を解決するため、本体内部に圧縮機と熱交換器とプロペラファンとを備え、本体背面に吸込口を設けるとともに、本体前面に前記プロペラファンに対応して吹出口を設けてなる空気調和機の室外機において、前記吹出口は、主桟と副桟とからなり、前記主桟は複数の第一桟と、同第一桟に交差する複数の第二桟とからなる一方、前記副桟は前記第一桟及び前記第二桟より細い構成となっている。
【０００９】
前記主桟は樹脂材からなり、前記副桟は金属性の網体からなる構成となっている。
【００１０】
前記副桟は、インサート成型により前記主桟に一体に形成される構成となっている。
【発明の効果】
【００１１】
本発明によると、上記構成により、吹出口における通風抵抗を充分低減できるようにした空気調和機の室外機とすることができるようになっている。
【発明を実施するための最良の形態】
【００１２】
以下、本発明の実施の形態を、添付図面に基づいた実施例として詳細に説明する。
【実施例１】
【００１３】
図１は本発明による空気調和機の第一実施例における室外機を示す分解斜視図であり、図２（Ａ）はその正面図であり、図２（Ｂ）はその断面側面図である。また、図２（Ｃ）は第一実施例における吸込口の要部拡大図であり、図２（Ｄ）は要部断面図である。図３（Ａ）〜図３（Ｃ）は第二実施例から第四実施例までを夫々示す断面図であり、図４は第五実施例を示す正面図である。
【００１４】
本発明による空気調和機の室外機１は、図１の分解斜視図で示すように、一対の脚部２ｂ及び２ｂ’を下面に備えた平板状のベース２上を、仕切板２ａにより機械室７と熱交換室８とに区画し、前記機械室７に圧縮機９とともにアキュームレータ、膨張弁等を設ける一方、前記熱交換室８に、熱交換器１０とプロペラファン１１と、これを回転駆動するファンモータ１２とを設けている。前記熱交換器１０は、平行して並べられた多数のフィンと、同フィンに直交するように蛇行状に配設された伝熱管とからなり、同熱交換器１０は前記熱交換室８の側面から背面に至るようにＬ字状に形成されている。また、前記機械室７の上方には、制御基板等を収納した電装品箱１３が配置されるようになっている。
【００１５】
前記ベース２上には、図１及び図２（Ｂ）で示すように、前記熱交換器１０に対向して背面側に吸込口１７を形成し、両側面に手掛部を設けた断面コ字状の外胴３が装着され、開放された上面には天面板４が被着されるようになっている。また、開放された前面には、吹出口６を形成したフロントパネル５が装着されるようになっている。
【００１６】
背面の吸込口１７から吸込まれた空気は、前記熱交換器１０を通過することにより熱交換され、前記ファンモータ１２により駆動されるプロペラファン１１により前記吹出口６から送出されるようになっている。
【００１７】
前記吹出口６は、図２（Ａ）の正面図で示すように、主桟と、同主桟内に張設された副桟とからなり、図２（Ｃ）の要部拡大図で示すように、主桟は、横方向に平行して並べられた複数の第一桟６ａと、これに直交するように縦方向に平行して並べられた複数の第二桟６ｂとからなっている。これら第一桟６ａと第二桟６ｂとは樹脂材から構成され、前記プロペラファン１１から送出された空気に対し通風抵抗を充分低減できるようにする一方、衝撃力等に対して強度を維持するよう所定の間隔をあけて設けられている。
【００１８】
副桟は、主桟内に格子状に張設された金網から構成され、横方向に平行して並べられた細径の横網６ｃと、これに直交するように縦方向に平行して並べられた細径の縦網６ｄとからなっている。これら横網６ｃ、縦網６ｄは前記第一桟６ａ、第二桟６ｂより細く形成される一方、横網６ｃの間隔及び縦網６ｄの各々の間隔は、手指の侵入を防止できるよう例えば１２ｍｍ以下に設定されている。
【００１９】
前記ファンモータ１２の駆動により前記プロペラファン１１から送出された放射状に拡散する空気の流れは、細径の縦網６ｄと横網６ｃとの間を通過することにより、斜流となっても通風抵抗を受けることなく前記吹出口６から外部に送出されるようになっている。これにより前記熱交換器１０での熱交換効率が向上するとともに、室外機としての性能も向上するようになっている。また、上記したように、横桟６ａと縦桟６ｂとで格子状に形成された第一桟により、衝撃力、外力等に対する吹出口６の強度も充分維持することができるようになっている。
【００２０】
また、金属からなる細径の前記縦網６ｄと前記横網６ｃとは、図２（Ｄ）のＡ−Ａ断面図で示すように、第一桟６ａと第二桟６ｂとを樹脂成型により形成する際、インサート成型により一体となって成型されるようになっており、これにより接合強度が高まって前記吹出口６は必要な強度を維持できる一方、製造コストを極力低減することができるようになっている。
【実施例２】
【００２１】
次に、第二実施例を示す。第二実施例での吹出口１４は、図３（Ａ）で示すように、縦桟を、前後に分割された前部縦桟１５ａと後部縦桟１６ａとから構成し、前部縦桟１５ａに所定の間隔で横桟１５ｂを形成するとともに、後面に半円状の凹部１５ｃを縦方向に連設し、同様に、前記後部縦桟１６ａに所定の間隔で横桟１６ｂを形成するとともに、前面に、前記凹部１５ｃに対応して半円状の凹部１６ｃを縦方向に連設している。これら、前部縦桟１５ａと後部縦桟１６ａとを接合するとともに、前記凹部１５ｃと凹部１６ｃとの間に金属からなる前記横網６ｃを挟持して吹出口１４が構成されるようになっている。インサート成型による一体成型に代り、簡易な製造方法として採用することができるようになっている。
【実施例３】
【００２２】
次に、第三実施例を示す。第三実施例は、図３（Ｂ）で示すように、縦桟６ｂと横桟６ａとからなる第一桟の前面側であって、横桟６ａの先端部に溶着により金属からなる横網６ｃを接合している。これにより接合部が外観上見えないようにして外観性を向上させる一方、吹出口の組立を容易に行えるようになっている。
【実施例４】
【００２３】
次に、第四実施例を示す。第四実施例は、図３（Ｃ）で示すように、縦桟６ｂと横桟６ａとからなる第一桟の後面に溶着により金属からなる横網６ｃを接合している。これらにより吹出口６の製作は非常に容易となり、また、金網に破損が生じた場合、交換を容易に行えるようになっている。また、金網の清掃も容易に行えるようになっている。
【実施例５】
【００２４】
次に、第五実施例を示す。第五実施例は、図４で示すように、室外機１８の本体１９全面に吹出口２０を設け、同吹出口２０を同心円状に複数設けられた第一桟２１と、これと交差するように放射状に形成された第二桟２２とから主桟を構成する一方、同主桟内に金網からなる副桟を配している。同心円状に複数設けられた第一桟２１と、これと交差するように放射状に形成された第二桟２２とで必要な強度を維持しながら、金網からなる副桟
により通風抵抗を充分に低減するようになっている。
【図面の簡単な説明】
【００２５】
【図１】本発明による空気調和機の室外機を示す分解斜視図である。
【図２】（Ａ）は空気調和機の室外機の正面図である。（Ｂ）はその断面側面図である。（Ｃ）は吸込口の要部拡大図である。（Ｄ）はその断面図である。
【図３】（Ａ）は第二実施例を示す説明図である。
【００２６】
( Ｂ）は第三実施例を示す説明図である。
（Ｃ）は第四実施例を示す説明図である
【図４】第五実施例を示す室外機の正面図である。
【図５】（Ａ）は従来の空気調和機の室外機の正面図である。（Ｂ）はその断面側面図である。（Ｃ）は従来の吸込口の要部拡大図である。（Ｄ）はその断面図である。
【符号の説明】
【００２７】
１  空気調和機の室外機
２  ベース
２ａ  仕切板
２ｂ  脚部
３  外胴
４  天面板
５  フロントパネル
６  吹出口
６ａ  第一桟
６ｂ  第二桟
６ｃ  横網
６ｄ  縦網
７  機械室
８  熱交換室
９  圧縮機
１０  熱交換器
１１  プロペラファン
１２  ファンモータ
１３  電装品箱
１４  吹出口
１５ａ  縦桟
１５ｂ  横桟
１５ｃ  凹部
１６ａ  縦桟
１６ｂ  横桟
１６ｃ  凹部
１７  吸込口
１８  室外機
１９  本体
２０  吹出口
２１  第一桟
２２  第二桟
２３  副桟
【図１】
2009014234.tif 000003
【図２】
2009014234.tif 000004
【図３】
2009014234.tif 000005
【図４】
2009014234.tif 000006
【図５】
2009014234.tif 000007